(57)【特許請求の範囲】
【請求項１】
太陽電池アレイの外周を画する太陽電池パネルの外枠を被覆する外枠ガードと、該外枠ガードに緩衝機能を付与して上記外枠ガードを被覆する緩衝材を備え、上記外枠ガードを、太陽電池アレイの架台から上方又は外方上方に向けて起立配置して上記外枠を長手方向に被覆する起立片を有する硬質長尺材によって形成し、上記緩衝材を、該外枠ガードの上記起立片の外側面に対接固定する対接固定片と、該対接固定片から断面Ｌ字状をなすように上記外枠側に突出した交差突片と、上記対接固定片の外側に断面コ字状乃至断面Ｃ字状をなすように配置して該対接固定片の外側面を被覆する緩衝カバー片を有する熱可塑性エラストマーの軟質一体の長尺材によって形成してなり、
太陽電池アレイの隅部における外枠ガードの直交端部に緩衝機能を付与して上記外枠ガードを被覆するコーナー緩衝材を備え、該コーナー緩衝材を、上記軟質長尺材による緩衝材と同様に対接固定片と、交差突片と、緩衝カバー片を直交２辺に有する熱可塑性エラストマーの軟質一体のＬ字材によって形成し且つ上記長尺材の緩衝材の各長手方向端部を上記直交２辺の対接固定片と緩衝カバー片との間の空間にそれぞれ受入れて該長尺材による緩衝材の長手方向端部を直交接続自在としてなることを特徴とする太陽電池アレイの緩衝装置。
【請求項２】
上記コーナー緩衝材の対接固定片と緩衝カバー片間の交差位置乃至その近傍にその一方から他方に向けて突出し又はこれらを連結する区画緩衝片を配置してなることを特徴とする請求項１に記載の太陽電池アレイの緩衝装置。
【発明の詳細な説明】
【技術分野】
【０００１】
本発明は、太陽電池パネルの外枠を被覆するように用いる太陽電池パネルの緩衝材に関する。
【背景技術】
【０００２】
太陽電池アレイは、太陽電池セルをパッケージした多数の太陽電池パネル（太陽電池モジュールといってもよい）を架台に傾斜配置して構成するか、太陽電池パネルを単一化したサブアレイを同じく架台に傾斜配置して構成するものとされ、このとき太陽電池パネル（サブアレイを含む。以下同じ。）は基板の外周にアルミ押出材や鋼板加工材等の金属製の外枠を配置し、基板上に太陽電池セルを固定したものとされ、該太陽電池アレイは、例えば、都市部において住宅の平側屋根や中低層建造物の陸屋根に架台を固定することによってその設置を行うものとされている。
【先行技術文献】
【特許文献】
【０００３】
【特許文献１】特開２００８−２３５７６６号公報
【発明の概要】
【発明が解決しようとする課題】
【０００４】
このように屋根に太陽電池アレイを設置することによって効率のよい太陽光発電を行うことが可能となるが、陸屋根を有する建造物、例えば、小中学校、市町村会館、百貨店等の公共乃至公共的な施設の屋上に太陽電池アレイを設置する場合、児童生徒や施設利用者が屋上を利用することがあり、このような場合、太陽電池アレイは、太陽電池パネルを上記傾斜配置したものであるから、該太陽電池パネルの上記アルミ押出材や鋼板加工材等による金属製の外枠が外周に露出した状態に設置される結果、児童生徒や施設利用者等の屋上利用者が、該外枠に衝接して怪我をするという接触事故を招く危険性がある。特に、小中学校の屋上にあって屋上を運動や遊戯に使用する場合には、太陽電池アレイに向かって走って外枠に衝接する可能性が残ることから、該接触事故防止の対策が求められる。
【０００５】
本発明はかかる事情に鑑みてなされたもので、その解決課題とするところは、太陽電池アレイにおける太陽電池パネルの外枠との接触事故の可能性を可及的に解消し得るようにした太陽電池アレイの緩衝装置を提供するにある。
【課題を解決するための手段】
【０００６】
上記課題に沿って本発明は、外枠ガードによって太陽電池パネルの外枠を被覆し、緩衝材によって該外枠ガードを被覆しこれに緩衝機能を付与するとともに外枠ガードを外枠被覆の起立片を有する硬質一体の長尺材によるものとする一方、熱可塑性エラストマーの軟質一体の長尺材によるものとし、該緩衝材を上記外枠ガードの外側面に対接被覆する対接固定片、該対接固定片から断面Ｌ字状に上記外枠側に突出する交差突片、対接固定片の外側を該対接固定片に対して上下に突条を備えることによって断面コ字状乃至断面Ｃ字状に被覆する緩衝カバー片を備えたものとして、上記外枠ガードによって太陽電池パネルに対する直接の接触とこれによる衝撃を回避して該太陽電池パネルを保護し、緩衝材が発揮する緩衝機能によって屋上利用者の接触に際してその接触衝撃を吸収緩和して屋上利用者を保護し、太陽電池パネルの外枠との接触事故の可能性を可及的に解消するとともに外観良好にして、太陽電池アレイに対する可及的容易且つ確実な配置を可能とし、また、上記熱可塑性エラストマーの良好な耐候性に基づいて可及的長期に亘る耐久性を確保したものとするようにしたものであって、即ち、請求項１に記載の発明を、太陽電池アレイの外周を画する太陽電池パネルの外枠を被覆する外枠ガードと、該外枠ガードに緩衝機能を付与して上記外枠ガードを被覆する緩衝材を備え、上記外枠ガードを、太陽電池アレイの架台から上方又は外方上方に向けて起立配置して上記外枠を長手方向に被覆する起立片を有する硬質長尺材によって形成し、上記緩衝材を、該外枠ガードの上記起立片の外側面に対接固定する対接固定片と、該対接固定片から断面Ｌ字状をなすように上記外枠側に突出した交差突片と、上記対接固定片の外側に断面コ字状乃至断面Ｃ字状をなすように配置して該対接固定片の外側面を被覆する緩衝カバー片を有する熱可塑性エラストマーの軟質一体の長尺材によって形成してなることを特徴とする太陽電池アレイの緩衝装置としたものである。
【０００８】
また、請求項１に記載の発明は、同じく上記に加えて、上記外枠ガードが直交する太陽電池アレイの隅部に緩衝機能を付与するように、同じく熱可塑性エラストマーの軟質Ｌ字材によるコーナー緩衝材を備えるとともに該コーナー緩衝材を上記長尺材のものと同様に構成して、上記長尺材の緩衝材の長手方向端部を受入れ、その直交接続を可能として、太陽電池アレイの隅部の緩衝機能を有効且つ確実に確保し、その納まり外観を良好なものとするように、これを、上記緩衝材に加えて、太陽電池アレイの隅部における外枠ガードの直交端部に緩衝機能を付与して上記外枠ガードを被覆するコーナー緩衝材を備え、該コーナー緩衝材を、上記軟質長尺材による緩衝材と同様に対接固定片と、交差突片と、緩衝カバー片を直交２辺に有する熱可塑性エラストマーの軟質一体のＬ字材によって形成し且つ上記長尺材の緩衝材の各長手方向端部を上記直交２辺の対接固定片とカバー片との間の空間にそれぞれ受入れて該長尺材による緩衝材の長手方向端部を直交接続自在としてなることを特徴とする太陽電池アレイの緩衝装置としたものである。
【０００９】
請求項２に記載の発明は、同じく上記に加えて、該コーナー緩衝材の対接固定片と緩衝カバー片間に区画緩衝片を配置することによって、該緩衝材による緩衝機能を向上して、接触事故の可能性を更に解消し得るものとするように、これを、上記コーナー緩衝材の対接固定片と緩衝カバー片間の交差位置乃至その近傍にその一方から他方に向けて突出し又はこれらを連結する区画緩衝片を配置してなることを特徴とする請求項１に記載の太陽電池アレイの緩衝装置としたものである。
【００１０】
本発明はこれらをそれぞれ発明の要旨として、上記課題解決の手段としたものである。
【発明の効果】
【００１１】
本発明は以上のとおりに構成したから、請求項１に記載の発明は、外枠ガードによって太陽電池パネルの外枠を被覆し、緩衝材によって該外枠ガードを被覆しこれに緩衝機能を付与するとともに外枠ガードを外枠被覆の起立片を有する硬質一体の長尺材によるものとする一方、熱可塑性エラストマーの軟質一体の長尺材によるものとし、該緩衝材を上記外枠ガードの外側面に対接被覆する対接固定片、該対接固定片から断面Ｌ字状に上記外枠側に突出する交差突片、対接固定片の外側を該対接固定片に対して上下に突条を備えることによって断面コ字状乃至断面Ｃ字状に被覆する緩衝カバー片を備えたものとして、上記外枠ガードによって太陽電池パネルに対する直接の接触とこれによる衝撃を回避して該太陽電池パネルを保護し、緩衝材の材質、構造によって発揮する緩衝機能によって屋上利用者の接触に際してその接触衝撃を吸収緩和して屋上利用者を保護し、太陽電池パネルの外枠との接触事故の可能性を可及的に解消するとともに外観良好にして、太陽電池アレイに対する可及的容易且つ確実な配置を可能とし、また、上記熱可塑性エラストマーの良好な耐候性に基づいて可及的長期に亘る耐久性を確保したものとした太陽電池アレイの緩衝装置を提供できる。
【００１２】
請求項２に記載の発明は、上記に加えて、上記緩衝材の対接固定片と緩衝カバー片の上下中間位置に中間緩衝片を配置することによって、緩衝材による緩衝機能を向上して、接触事故の可能性を更に解消し得るものとすることができる。
【００１３】
請求項３に記載の発明は、同じく上記に加えて、上記外枠ガードが直交する太陽電池アレイの隅部に緩衝機能を付与するように、同じく熱可塑性エラストマーの軟質Ｌ字材によるコーナー緩衝材を備えるとともに該コーナー緩衝材を上記長尺材のものと同様に構成して、上記長尺材の緩衝材の長手方向端部を受入れ、その直交接続を可能として、太陽電池アレイの隅部の緩衝機能を有効且つ確実に確保し、その納まり外観を良好なものとすることができる。
【００１４】
請求項４に記載の発明は、同じく上記に加えて、該コーナー緩衝材の対接固定片と緩衝カバー片間に区画緩衝片を配置することによって、該緩衝材による緩衝機能を向上して、接触事故の可能性を更に解消し得るものとすることができる。
【図面の簡単な説明】
【００１５】
【図１】太陽電池パネルの部分拡大斜視図である。
【図２】太陽電池アレイ一方の辺における緩衝材の設置状態を示す縦断面図である。
【図３】図２の外枠ガードと緩衝材の関係を示す分解斜視図である。
【図４】太陽電池アレイ他方の辺における緩衝材の設置状態を示す縦断面図である。
【図５】図４の外枠ガードと緩衝材の関係を示す分解斜視図である。
【図６】緩衝材の縦断面図である。
【図７】緩衝材の背面図である。
【図８】コーナー緩衝材の縦断面図である。
【図９】コーナー緩衝材の平面図である。
【図１０】コーナー緩衝材の底面図である。
【図１１】緩衝材とコーナー緩衝材の関係を示す斜視図である。
【図１２】緩衝材とコーナー緩衝材の関係を示す縦断面図である。
【発明を実施するための形態】
【００１６】
以下図面の例に従って本発明を更に具体的に説明すれば、１は、例えば、小中学校の校舎屋上に設置した太陽電池アレイであり、該太陽電池アレイ１は、常法に従って、太陽電池セルをパッケージした多数の太陽電池パネル１０を架台１２に傾斜配置して構成したものとしてあり、このとき該太陽電池パネル１０は、それぞれ太陽電池セルを固定した基板の外周に、本例にあってアルミ押出材による金属製の外枠１１を配置したものとしてある。
【００１７】
太陽電池アレイ１は、その外周を画する太陽電池パネル１０の外枠１１を被覆する外枠ガード２と、該外枠ガード２に緩衝機能を付与して該外枠ガード２を被覆する緩衝材３ａを備えた緩衝装置を配置してあり、本例にあって該緩衝装置は、上記緩衝材３ａに加えて、太陽電池アレイ１の隅部における外枠ガード２の直交端部に緩衝機能を付与して上記外枠ガード２を被覆するコーナー緩衝材３ｂを備えたものとしてある。
【００１８】
太陽電池パネル１０の外枠１１を被覆する上記外枠ガード２は、これを、太陽電池アレイ１の架台１２から上方又は外方上方に向けて起立配置して上記外枠１１を長手方向に被覆する起立片２１を有する硬質長尺材によって形成してある。
【００１９】
本例にあって該外枠ガード２は、例えば、アルミ押出材、鋼板加工材等の金属製又は硬質合成樹脂押出材等の合成樹脂製にして肉厚を２〜３ｍｍ程度とした硬質長尺材によって形成し、その高さを７〜８ｃｍ程度のものとしてあり、本例にあって、該外枠ガード２は、起立片２１と、該起立片２１の上端を内側、即ち太陽電池パネル１０の外枠１１側に向けて折曲した、例えば突出幅を２〜３ｃｍ程度とした水平片２２とを備えた断面逆Ｌ字状をなし、長方形の太陽電池パネル１０の長辺又は短辺と同長乃至その倍数程度の長さを有するものとしてある。
【００２０】
外枠ガード２は、太陽電池アレイ１の架台１２に固定して、太陽電池アレイ１外周の全部又は複数の辺において上記太陽電池パネル１０の外枠１１を長手方向に被覆するものとしてあり、本例にあって該架台１２への固定は、図２及び図３に示すように架台１２における支持枠にその長手方向所定間隔に、また、図４及び図５に示すように架台１２における支持枠交差方向の根太枠にその延長方向所定間隔にそれぞれネジ固定した各ブラケット２３を介して、該架台１２から外枠ガード２を上記外枠１１の高さに合せてその外側位置に持ち出し状として、該外枠１１を被覆するものとしてあり、該ブラケット２３を介した架台１２への固定は金具又は接着による固定、本例にあっては金具による固定を行ったものとしてある。該金具による固定は、架台固定片２４の向きを変更することによって支持枠固定用とし、また根太枠固定用とすることによって上記支持枠長手方向と交差方向の違いに対応した２種類のブラケット２３を用いて、各ブラケット２３の支持片２５に透設した上下の透孔に、同じく外枠ガード２に透設した上下の透孔からそれぞれボルト２６を挿通し、ブラケット２３の内側、即ち、外枠側において該ボルト２６にナット２７を締着してこれを行ったものとしてある。このとき本例の外枠ガード２は、その水平片２２を含めて、太陽電池パネル１０の外枠１１に接触することなく、該外枠１１、特にその起立片２１との間に、例えば数ｃｍ程度の空隙を配置するようにその被覆を行ってあり、これによって該外枠ガード２に対して衝撃が加わったとき、該衝撃が直接に太陽電池パネル１０に伝達するのを防止して、該直接の伝達によって生じる可能性ある太陽電池セルの破損等のトラブルを回避し、太陽電池パネル１０を可及的に保護するようにしてある。
【００２１】
緩衝材は、上記外枠ガードを被覆する長尺の緩衝材３ａと、本例にあってこれに加えて用いた太陽電池アレイ１の隅部において直交する外枠ガード２を被覆するコーナー緩衝材３ｂの双方を用いたものとしてあり、上記外枠ガード２を被覆する長尺の緩衝材３ａは、これを、該外枠ガード２の上記起立片２１の外側面に対接固定する対接固定片３１と、該対接固定片３１から断面Ｌ字状をなすように上記外枠１１側に突出した交差突片３２と、上記対接固定片３１の外側に断面コ字状乃至断面Ｃ字状をなすように配置して該対接固定片３１の外側面を被覆する緩衝カバー片３３を有する熱可塑性エラストマーの軟質一体の長尺材によって形成したものとしてある。また、上記隅部の外枠ガード２を被覆するコーナー緩衝材３ｂは、これを、上記軟質長尺材による緩衝材３ａと同様に対接固定片３１と、交差突片３２と、緩衝カバー片３３を直交２辺に有する熱可塑性エラストマーの軟質一体のＬ字材によって形成し且つ上記長尺材の緩衝材３ａの各長手方向端部を上記直交２辺の対接固定片３１と緩衝カバー片３３との間の空間にそれぞれ受入れて該長尺材による緩衝材３ａの長手方向端部を直交接続自在としたものとしてある。
【００２２】
即ち、上記外枠ガード２を被覆する長尺の緩衝材、即ち、長尺材によって形成した緩衝材３ａは、太陽電池アレイ１の任意の辺に位置する外枠ガード２をその長手方向に被覆する直線用のものとして、押出成形によって成形した長手方向に同一断面形状をなす成形材によるものとしてあり、また、コーナー緩衝材３ｂは、外枠ガード２の直交２辺を保護する隅部用のものとして、射出成形によって成形した平面Ｌ字状をなすものとしてある。
【００２３】
これら緩衝材３ａ及びコーナー緩衝材３ｂは、いずれも上記熱可塑性エラストマーに上記押出成形又は射出成形を施すことによってその成形を行ったものとしてあり、該熱可塑性エラストマー製のものとすることより、それ自体軟質一体にして直射日光に曝されるこれら緩衝材として良好な耐候性を確保してその耐久性を確保したものとしてある。このときこれら緩衝材３ａ、３ｂは、上記軟質一体のものとしたことによって、後述のように緩衝カバー片３３を捲り上げるようにして、その対接固定片３１を、例えばタップネジ３８を用いて外枠ガード２に対接固定し得るようにしてあり、本例にあってこれら緩衝材３ａ、３ｂは、これに適宜な色調、例えば白色を呈するように顔料を添加して成形を行うことによって、太陽電池アレイ１、特にその太陽電池パネル１０が存在することを容易に認識し得るようにしてある。
【００２４】
緩衝材３ａ及びコーナー緩衝材３ｂは、いずれも対接固定片３１、交差突片３２及び緩衝カバー片３３を備えたものとして、その基本断面形状を共通とする一方、コーナー緩衝材３ｂを、その対接固定片３１と緩衝カバー片３３との間の空間に緩衝材３ａの長手方向端部を受入れ可能とするように、該緩衝材３ａよりその寸法を大きく形成したものとしてある。
【００２５】
本例にあって緩衝材３ａは、２〜３ｍｍの肉厚に押出成形して形成し、平面の幅を２〜３ｃｍ、正面の高さを５〜６ｃｍとして、長尺、例えば上記外枠ガード２と同程度の長さを有する一体の成形材としてあり、このとき、対接固定片３１を上記５〜６ｃｍに垂直に起立した壁面をなすようにし、該対接固定片３１の上端乃至上端近傍に背面側に向けて突出幅を１ｃｍ程度とした、突出方向に厚さを縮小した交差突片３２を配置し、該交差突片３２の正面側端部から１／４円程度の円弧をなして正面側に突出し、下端に対接固定片３１に向けて数ｍｍ程度の長さの折曲片３４を突出することによって断面コ字状乃至断面Ｃ字状とし且つ対接固定片３１より僅かに短寸とした上記緩衝カバー片３３を配置したものとしてあり、これによって、該緩衝材３ａは、対接固定片３１と緩衝カバー片３３との間に空間を形成してあり、該空間は、緩衝カバー片３３下端の上記折曲片３４と対接固定片３１間に配置した、例えば１ｍｍ程度の空隙によって下方に連通するようにしてある。
【００２６】
このとき緩衝材３ａは、該緩衝材における対接固定片３１と緩衝カバー片３３間の上下中間位置にその一方から他方に向けた単一又は複数、本例にあっては単一の中間緩衝片３５を配置したものとしてあり、該中間緩衝片３５は、緩衝カバー片３３の上下中央位置よりやや上位の位置から緩衝カバー片３３の折曲片３４と略同長の長さに突出して、上記空間を上下に２区分してあり、該中間緩衝片３５は、上記折曲片３４におけると同様に対接固定片３１との間に、例えば１ｍｍ程度の空隙を配置し、該空隙によって２区分した上下の空間を相互に連通するようにしてあり、該空隙によって緩衝材３ａの雨水や結露水を排水するようにしてある。
【００２７】
本例にあってコーナー緩衝材３ｂは、同じく２〜３ｍｍの肉厚に射出成形して形成し、幅を１ｃｍ程度、高さを０．５ｃｍ程度それぞれ大きくし、直交する１辺の長さを７〜８ｃｍとした平面Ｌ字状をなす一体の成形材としてあり、これによって上記直線用の緩衝材３ａの長手方向端部を受入れてその直交接続を行うものとしてある。このため該コーナー緩衝材３ｂは、その基本形状を上記直線用の緩衝材３ａと略同様な形状として、コーナー緩衝材３ｂによる直交接続状態で緩衝材３ａ、３ｂを連続した一連の形態をなすようにして、設置外観を良好なものとしてある。
【００２８】
即ち、該コーナー緩衝材３ｂは、同じく対接固定片３１を上記５〜６ｃｍに垂直に起立した壁面をなすようにし、該対接固定片３１の上端乃至上端近傍に背面側に向けて突出幅を３ｃｍ程度とした、突出方向に厚さを縮小した交差突片３２を配置し、該交差突片３２の正面側端部から１／４円程度の円弧をなして正面側に突出し、下端に対接固定片３１に向けて数ｍｍ程度の長さの折曲片３４を突出することによって断面コ字状乃至断面Ｃ字状とし且つ対接固定片３１より僅かに短寸とした上記緩衝カバー片３３を外角を画するように直交配置したものとしてあり、これによって、該緩衝材３ｂは、対接固定片３１と緩衝カバー片３３との間に直交する平面Ｌ字状をなす空間を形成してあり、該空間は、緩衝カバー片３３下端の上記折曲片３４と対接固定片３１間に配置した、例えば４ｍｍ程度の空隙によって下方に連通するようにし、同様にコーナー緩衝材３ｂの雨水や結露水を排水するようにしてある。
【００２９】
このとき、該コーナー緩衝材３ｂは、上記空間に上記直線用の緩衝材３ａを受入れるために、緩衝材３ａに設けたような中間緩衝片を設けることなく、その対接固定片３１の正面、即ち、緩衝カバー片３３との対向面の上下２ヶ所に直線用の緩衝材３ａの滑り止め用の突起３６を配置したものとしてあり、本例にあって該突起３６は、これを空間に水平の線状に突出する線状小突起としてある。
【００３０】
また、本例にあって該コーナー緩衝材３ｂは、その対接固定片３１と緩衝カバー片３３間の交差位置乃至その近傍にその一方から他方に向けて突出し又はこれらを連結する区画緩衝片３７を配置したものとしてあり、本例の区画緩衝片３７は、これを上記交差位置において対接固定片３１と緩衝カバー片３３を連結する仕切壁をなすように配置してあり、これにより、上記空間は、これを直交位置で交差方向に向けて開口する２室をなすように２区分したものとしてある。
【００３１】
本例の各緩衝材３ａ、３ｂは、上記外枠ガード２に設置して、該外枠ガード２を被覆して、これに緩衝機能を付与するものとしてあるところ、該外枠ガード２への設置は、緩衝材３ａを先行して、コーナー緩衝材３ｂを後続して、これを行うものとしてある。
【００３２】
即ち、緩衝材３ａは、例えば、該緩衝材３ａの交差突片３２を上記外枠ガード２の水平片２２の上面に引掛け状に載置してその位置決めを行い、該引掛け状載置の状態で、その長手方向両端部を除いた中間位置の緩衝カバー片３３を部分的に持ち上げるように捲り上げてその背面の対接固定片３１を部分的に露出して、釘、ネジ等の金具３８、本例にあってはタッピングネジを該対接固定片３１から外枠ガード２の側面、作業者から見た外枠ガード２の正面に螺入することによって、該緩衝材３ａを外枠ガード２長手方向所定間隔に固定するものとしてある。このとき、緩衝材３ａは、上記熱可塑性エラストマーによる軟質の成形材であるので、緩衝カバー片３３から手を離せば、該緩衝カバー片３３は元の状態に復帰し、緩衝材３ａの固定に使用して金具３８の頭、本例にあってはネジ頭を被覆して、その設置外観を良好なものとすることができる。
【００３３】
緩衝材３ａを固定した後に、コーナー緩衝材３ｂを、その内角を外枠ガード２のコーナーに宛がい、同様に交差突片３２を、該コーナーの直交する外枠ガード２の水平片２２の上面に引掛け状に載置して、同じくその位置決めを行うとともに緩衝カバー片３３を同様に持ち上げるように捲り上げて交差方向２ヶ所でそれぞれ金具３８固定するものとし、その後に、上記交差方向に区分した空間に、先行して交差固定した各緩衝材３ａの長手方向端部をそれぞれ挿入し、該緩衝材２ａをコーナー緩衝材の各空間に受入れて、その直交接続を行うようにすればよい。
【００３４】
コーナー緩衝材３ｂに対する緩衝材３ａの挿入も、該緩衝材３ａを熱可塑性エラストマーの押出成形による成形材としたことによって、その端部を手で手前に折り曲げるように外枠ガード２から浮かして、必要に応じて更にコーナー緩衝材３ｂの緩衝カバー片３３を捲るようにして、上記空間に向けて差し込むように嵌合するように、これを行うことができ、該挿入によって外枠ガード２のコーナーの納まり外観を良好なものとすることができる。
【００３５】
このように緩衝材３ａ及びコーナー緩衝材３ｂによる外枠ガード２の被覆は、これら緩衝材３ａ、３ｂ、金具３８及びドライバー等の幾分かの工具によって行うことができるとともにその被覆作業は、上記熱可塑性エラストマーの軟質性を利用して、これを極く容易に行うことができる。
【００３６】
このようにして外枠ガード２外周の全部、３辺又は２辺を緩衝材３ａ、コーナー緩衝材３ｂによって被覆することによって、屋上で運動する等して、太陽電池アレイ１に対する屋上利用者の接触を防止し、外枠ガード２が太陽電池パネル１０を保護するとともに緩衝材３ａ、３ｂが緩衝機能を発揮し、屋上利用者の危険を可及的に解消して、その安全を確保することができる。このとき、本例の緩衝材３ａ、３ｂは、その緩衝カバー片３３を断面コ字状乃至断面Ｃ字状としたことによって、下端の折曲片３４が緩衝機能を向上する上、緩衝材３ａにあっては緩衝カバー片３３の上下中間位置に中間緩衝片３５を配置したことによって、該中間緩衝片３５が衝撃を吸収して緩衝機能を更に向上し、また、コーナー緩衝材３ｂにあっては区画緩衝片３７を配置したことによって、同様に衝撃を吸収して緩衝機能を更に向上するとともに該コーナー緩衝材３ｂは、その空間に緩衝材３ａの端部を受入れ、双方を重合することによって緩衝機能を複合したものとなるから、特に危険の大きいコーナーにおいて高度な緩衝機能を発揮するものとすることができる。
【００３７】
更に、緩衝材３ａ、３ｂを形成した熱可塑性エラストマーはそれ自体優れた耐候性を示すことから、直射日光を含めて自然環境に曝される太陽電池アレイ１の設置場所の屋上にあって、上記緩衝機能を長期に亘って維持して発揮し得る良好な耐久性を確保したものとすることができる。
【００３８】
図示した例は以上のとおりとしたが、硬質長尺材の緩衝材を単独使用して外枠ガードを、そのコーナーに至るように被覆するようにすること、この場合、緩衝カバー片に切込みを入れて、例えば、外枠のコーナー部分を屈曲被覆するように外枠ガードに設置すること、該緩衝材に中間緩衝片を配置するとき、これを上下に複数として緩衝機能を更に向上すること、コーナー緩衝材に区画緩衝片を配置するとき、同様に交差位置の近傍にこれを設置し、また、このとき該区画緩衝片を複数として同じく緩衝作用を更に向上すること、外枠ガードの材質によって、緩衝材を固定する金具を適宜に選定し、また、該固定に際して接着を用いること、外枠ガードを起立片によって長尺プレート状のものとすること、屋上以外に設置した太陽電池アレイに緩衝装置を適用すること等を含めて、本発明の実施に当って、太陽電池アレイ、太陽電池パネル、外枠ガード、緩衝材、その交差突片、対接固定片、緩衝カバー片、必要に応じて用いる中間緩衝片、コーナー緩衝材、その交差突片、対接固定片、緩衝カバー片、区画緩衝片等の各具体的形状、構造、材質、これらの関係、これらに対する付加等は、上記発明の要旨に反しない限り様々な形態とすることができる。
【符号の説明】
【００３９】
１  太陽電池アレイ
１０  太陽電池パネル
１１  外枠
１２  架台
２  外枠ガード
２１  起立片
２２  水平片
２３  ブラケット
２４  架台固定片
２５  支持片
２６  ボルト
２７  ナット
３ａ  緩衝材
３ｂ  コーナー緩衝材
３１  対接固定片
３２  交差突片
３３  緩衝カバー片
３４  折曲片
３５  中間緩衝片
３６  滑り止め用の突起
３７  区画緩衝片
３８  タップネジ
【図１】
0005508179.tif 000002
【図２】
0005508179.tif 000003
【図３】
0005508179.tif 000004
【図４】
0005508179.tif 000005
【図５】
0005508179.tif 000006
【図６】
0005508179.tif 000007
【図７】
0005508179.tif 000008
【図８】
0005508179.tif 000009
【図９】
0005508179.tif 000010
【図１０】
0005508179.tif 000011
【図１１】
0005508179.tif 000012
【図１２】
0005508179.tif 000013